(57)【特許請求の範囲】
【請求項１】
筒状をした胴部の両端部に配置してボルト、ナットにより取付けてケーブル巻きドラムを構成するためのケーブル巻きドラム用鍔部であって、鍔部の裏面に中心の仮想円に沿って胴部の端部が嵌り込む嵌め込み溝部を形成して該嵌め込み溝部よりも径方向の外側の領域をケーブルが巻かれる領域とし、嵌め込み溝部の径方向の内側の壁部を鍔部の裏面よりも突出させてずれ防止用突部を形成し、嵌め込み溝部に胴部の端部を嵌め込んだ際に、胴部の鍔部裏面よりも軸方向の内側にずれた部位を上記ずれ防止用突部により支持するように構成し、鍔部の表面には嵌め込み溝部に対応する部位にケーブル巻きドラム同士を積み重ねた際に上記鍔部から外方に突出するボルトの頭部又はナットが嵌り込む凹所を形成し、上記嵌め込み溝部と凹所の間に仕切りを形成し、上記凹所の径方向の内側の壁部を嵌め込み溝部の内側の壁部よりもずれ防止用突部の肉厚部だけ内側にずらして鍔部同士を積み重ねた際に該凹所にずれ防止用突部が嵌まり込むことを可能として成ることを特徴とするケーブル巻きドラム用鍔部の構造。
【請求項２】
上記嵌め込み溝部と凹所の間に形成した仕切りが鍔部の表裏方向の略中間部分に位置していることを特徴とする請求項１記載のケーブル巻きドラム用鍔部の構造。
【発明の詳細な説明】
【０００１】
【発明の属する技術分野】
本発明は、筒状をした胴部の両端部に配置してボルトにより取付けられるケーブル巻きドラム用鍔部の構造に関するものである。
【０００２】
【従来の技術】
従来から、胴部の端部に鍔部を取付けてケーブル巻きドラムを構成するものが知られている。上記ケーブル巻きドラムの構成部品である鍔部、胴部は大きくて重量があるので、組み立てるまでは胴部、鍔部別々に搬送したり、保管したりするものである。この場合、鍔部は上下に積み重ねて搬送したり、保管したりするが、鍔部を積み重ねた場合に横方向にずれやすいという問題がある。
【０００３】
また、鍔部の裏面には嵌め込み溝部が形成してあって、嵌め込み溝部に胴部の端部を嵌め込むようになっているが、ケーブルを巻いた場合における胴部からの荷重は嵌め込み溝部の径方向の内側の壁部により支持されるが、従来にあっては嵌め込み溝部の径方向の内側の壁部が鍔部の裏面よりも突出しておらずに支持強度が弱くなるという問題があった。
【０００４】
また、仮に胴部の支持強度を出すために嵌め込み溝部の径方向の内側の壁部を鍔部の裏面よりも突出させることが考えられるが、これだと鍔部同士を上下に積み重ねた際に、下の鍔部の突出部分に上の鍔部が載置され、突出部分の突出長さの分だけ上下の鍔部間に隙間が生じ、これにより鍔部の載置が安定しないという問題がある。
【０００５】
【発明が解決しようとする課題】
本発明は上記の点に鑑みてなされたものであり、鍔部同士を搬送や保管に際して多段に積み重ねても横ずれすることがなく安定して積みかさねができ、また、組み立ててケーブル巻きドラムを形成した際にケーブルを巻いた場合における胴部からの荷重の支持強度を上げることができるケーブル巻きドラム用鍔部の構造を提供することを課題とするものである。
【０００６】
【課題を解決するための手段】
上記課題を解決するために本発明に係るケーブル巻きドラム用鍔部の構造は、筒状をした胴部２の両端部に配置してボルト８、ナット２１により取付けてケーブル巻きドラムＡを構成するためのケーブル巻きドラム用鍔部４であって、鍔部４の裏面に中心の仮想円に沿って胴部２の端部が嵌り込む嵌め込み溝部６を形成して該嵌め込み溝部６よりも径方向の外側の領域をケーブルが巻かれる領域Ｂとし、嵌め込み溝部６の径方向の内側の壁部１５ｂを鍔部４の裏面よりも突出させてずれ防止用突部１６を形成し、嵌め込み溝部６に胴部２の端部を嵌め込んだ際に、胴部２の鍔部４裏面よりも軸方向の内側にずれた部位を上記ずれ防止用突部１６により支持するように構成し、鍔部４の表面には嵌め込み溝部６に対応する部位にケーブル巻きドラムＡ同士を積み重ねた際に上記鍔部４から外方に突出するボルト８の頭部又はナット２１が嵌り込む凹所１７を形成し、上記嵌め込み溝部６と凹所１７の間に仕切りを形成し、上記凹所１７の径方向の内側の壁部１８ａを嵌め込み溝部６の内側の壁部１５ｂよりもずれ防止用突部１６の肉厚部だけ内側にずらして鍔部４同士を積み重ねた際に該凹所１７にずれ防止用突部１６が嵌まり込むことを可能として成ることを特徴とするものである。このような構成とすることで、搬送や保管に当たって、鍔部４同士を上下に積み重ねる場合、一方の鍔部４のずれ防止用突部１６が他方の鍔部４の嵌り込む凹所１７に嵌り込むことで、鍔部４がずれないように積み重ねることができ、また、鍔部４間に隙間が生じないように積み重ねることができるものである。しかも、ずれ防止用突部１６が嵌り込む凹所１７が鍔部４の裏面のケーブルが巻かれる領域Ｂを避けた位置に設けてあることで、ケーブルの巻装に何ら悪影響がないものである。また、鍔部の嵌め込み溝部６に胴部２の端部を嵌め込んだ際に、鍔部４の裏面よりも突出しているずれ防止用突部１６でも胴部２を支持して胴部２からの荷重を受けることができる。更に、ケーブル巻きドラムＡ同士を積み重ねる場合、一方のケーブル巻きドラムＡのボルト８の先端部のナット２１を締結した部分が他方のケーブル巻きドラムＡの鍔部４の凹所１７に嵌り込み、また、他方のケーブル巻きドラムＡのボルト８の頭部が一方のケーブル巻きドラムＡの鍔部４の凹所１７に嵌りこんで、上下に隙間なくケーブル巻きドラムＡ同士を積み重ねることができるとともに、凹所１７にボルト８の頭部や先端部のナット２１締結部分が嵌り込むことで積み重ねたケーブル巻きドラムＡのずれを防止することができる。
また、上記嵌め込み溝部と凹所の間に形成した仕切りが鍔部の表裏方向の略中間部分に位置していることが好ましい。
【０００８】
【発明の実施の形態】
以下、本発明を添付図面に示す実施形態に基づいて説明する。
【０００９】
ケーブル巻きドラムＡは図１に示すように、略筒状をした胴部２の両端部に鍔部４を取付けて構成してある。胴部２、鍔部４はポリプロピレンのような合成樹脂により形成してあり、それぞれ射出成形などにより成形され、各成形品を組み立ててボルト８により固定することで構成してある。
【００１０】
上記ケーブル巻きドラムＡの構成部品である本発明の鍔部４は以下のような構成となっている。
【００１１】
鍔部４は図１乃至図４に示すようなものであり、この鍔部４には図３に示すように、表面部に多数の鍔補強用リブ１１が突設してあり、鍔部４にかかる荷重が鍔補強用リブ１１により吸収されることで鍔部４の割れを防止するようになっている。また、図２に示すように、鍔部４の裏面部の鍔部４半径方向の略中間部分には、鍔部４の真ん中を中心とする仮想円に沿って嵌め込み溝部６が設けてあり、嵌め込み溝部６の一部に嵌め込み溝部６に連通する第２の溝部７が連通形成してある。添付図面に示す実施形態においては第２の溝部７は鍔部４の真ん中を中心として９０°の開き角度で４個設けてある。
【００１２】
図４に示すように、第２の溝部７は嵌め込み溝部６よりも溝深さが深くなっている。第２の溝部７部分にはボルト挿入孔部５が形成してあり、第２の溝部７の溝底にボルト挿入孔部５の端部が位置している。嵌め込み溝部６の溝底部６ａは軸方向外方突出部３ａ又は径方向内方突出部３ｂが当接してスライドできるスライド溝底部６ｂと、該スライド溝底部６ｂより一段低くてスライド溝底部６ｂに軸方向外方突出部３ａ又は径方向内方突出部３ｂが当接した状態では胴部２の端部が浮き上がって嵌り込まず且つ軸方向外方突出部３ａ又は径方向内方突出部３ｂが第２の溝部７に嵌り込んだ状態では胴部２の端部が嵌り込む胴部嵌め込み溝底部６ｃとで構成してある。
【００１３】
添付図面に示す実施形態においては、図４（ｂ）に示すように、嵌め込み溝部６の径方向の両壁部１５のうち径方向の外側に位置する外側壁部１５ａに沿って溝底部６ａが一段低くなっていて胴部嵌め込み溝底部６ｃとなっており、溝底部６ａのうち胴部嵌め込み溝底部６ｃよりも径方向の内側の部分がスライド溝底部６ｂとなっている。ここで、胴部嵌め込み溝底部６ｃの幅は筒状をした胴部２の端部の肉厚とほぼ等しくなっている。また、スライド溝底部６ｂの溝幅は位置決め用突部３の径方向の長さ（つまり鍔補強用リブ１１の胴部２の内面からの径方向への突出長さ）とほぼ等しくなっている。
【００１４】
鍔部４の嵌め込み溝部６の径方向の両壁部１５のうちの鍔部４の内側（鍔部４の中心側）の壁部１５ｂはその先端が鍔部４の内面よりも少し突出していてずれ防止用突部１６となっている。また、鍔部４の表面側の嵌め込み溝部６に対応する部分には凹所１７が設けてあり、嵌め込み溝部６の溝底部６ａが鍔部４の表裏方向（厚み方向）の略中間部分に位置していて嵌め込み溝部６と凹所１７を表裏に仕切っている。凹所１７の径方向の両壁部１８のうち径方向の内側（鍔部４の中心側）に位置する壁部１８ａは上記ずれ防止用突部１６の肉厚分だけ径方向の内側（鍔部４の中心側）にずれて位置している。つまり、鍔部４同士を積み重ねた際に、図５に示すように一方の鍔部４の裏面に他方の鍔部４の表面を重ねた場合、ずれ防止用突片部１６が凹所１７の壁部１８ａの内面に沿って凹所１７内に嵌め込まれて積み重ねた鍔部４同士がずれないようになっている。
【００１５】
なお、鍔部４には電線取り出し孔１９が設けてある。
【００１６】
一方、上記の構成の本発明の鍔部４に嵌め込み結合される胴部２は胴部２は図６乃至図８に示すように、筒状をしていて内周部の周方向の複数箇所に胴部２の軸方向と平行な方向のボルト挿通部１が形成してある。添付図面に示す実施形態においては一対のリブ部９を胴部２の内周部の周方向の複数箇所に胴部２の軸方向と平行な方向に形成し、一対のリブ部９間がボルト挿通部１となっている。また、胴部２の内周部の周方向の複数箇所に設けた対となったリブ部９間にはそれぞれ複数の胴補強リブ１０が一体に設けてあり、この胴補強リブ１０の端部は筒状をした胴部２の端部よりも少し内側に引き込んだ位置となっている。この胴補強リブ１０はリブ部９と平行となっている。
【００１７】
筒状の胴部２の両端部には位置決め用突部３が突設してあり、胴部２の一端部側に設けた位置決め用突部３が、胴部２の一端部の胴部２の端面よりも内方にずれた位置から胴部２の軸方向の外側に向けて突出する軸方向外方突出部３ａにより構成してあり、胴部２の他端部に設けた位置決め用突部３が、胴部２の端面より内側に突出した径方向内方突出部３ｂにより構成してあり、この径方向内方突出部３ｂは軸方向においては胴部２の端面よりも突出しないように構成してある。
【００１８】
図６乃至図８に示す実施形態においては、筒状の胴部２の内面に突出した上記リブ部９を胴部２の一端部から胴部２の軸方向の外側に向けて突出させて軸方向外方突出部３ａを設けて、この軸方向外方突出部３ａを胴部２の一端部側における位置決め用突部３としてある。そして、この軸方向外方突出部３ａは胴部２の端面よりも内方にずれた位置から胴部２の軸方向の外側に向けて突出している。また、筒状の胴部２の他端部側においては筒状の胴部２の内面に突出した上記リブ部９が径方向内方突出部３ｂとなっていてこれが筒部２の他端部側の位置決め用突部３となっている。この径方向内方突出部３ｂが軸方向においては胴部２の端面よりも突出しないように構成してあり、実施形態では径方向内方突出部３ｂと胴部２の端面とが面一となっている。
【００１９】
しかして、ケーブル巻きドラムＡを組み立て形成するに当たっては、一方の鍔部４を裏面側が上となるように横にして組み立て用の支持枠や支持台などの上に載せ、この横にした一方の鍔部４の上に胴部２を軸方向が垂直となるように配置して胴部２の端部に突設した位置決め用突部３を嵌め込み溝部６に嵌め込む。この場合，胴部２の両端部の位置決め用突部３を構成する軸方向外方突出部３ａ又は径方向内方突出部３ｂのどちらが下となるようにして胴部２を配置してもよいが、好ましくは軸方向外方突出部３ａを下になるようにして胴部２を配置するのがよく、この方が位置決め用突部３を嵌め込み溝部６に嵌め込むんで位置合わせする場合における胴部２の落ち込み量が大きくて目で確認しにくい位置で行う位置決め用突部３を嵌め込み溝部６に嵌め込む作業がより容易に行える。
【００２０】
上記のようにして軸方向外方突出部３ａ又は径方向内方突出部３ｂを嵌め込み溝部６に嵌め込むと、図１０又は図１３に示すように、軸方向外方突出部３ａ又は径方向内方突出部３ｂが嵌め込み溝部６の溝底部６ａのうちスライド溝底部６ｂに当接し、筒状の胴部２の端面は溝底部６ａが一段低くなった胴部嵌め込み溝底部６ｃから浮いた状態となっている。この状態で胴部２を回動して位置決め用突部３を嵌め込み溝部６内で周方向にスライドさせると、位置決め用突部３が嵌め込み溝部６の端部に至って第２の溝部７に落ち込んで嵌り込むと共に図１２又は図１４のように筒状の胴部２の端部が一段下がった嵌め込み溝底部６ｃ及び第２の溝部７に落ち込んで嵌り込み、また、この状態でボルト挿通部１とボルト挿入孔部５とが連通するものである。
【００２１】
このように一方の鍔部４の上に該鍔部４に対して胴部２を嵌め込んで位置決めし、その後、胴部２の反対側の端部の上に別の鍔部４を載置し、この場合、胴部２の他端部に突設した他方の位置決め用突部３（径方向内方突出部３ｂ又は軸方向外方突出部３ａ）に別の鍔部４の裏面の嵌め込み溝部６を嵌め込む。この場合、図１３又は図１０に示すように径方向内方突出部３ｂ又は軸方向外方突出部３ａが嵌め込み溝部６の溝底部６ａのうちスライド溝底部６ｂに当接し、筒状の胴部２の端面は溝底部６ａが胴部嵌め込み溝底部６ｃから浮いた状態となっている。この状態で上に配置した別の鍔部４を回動して位置決め用突部３に対して嵌め込み溝部６をスライドさせると、嵌め込み溝部６の端部が位置決め用突部３位置に至って位置決め用突部３に第２の溝部７が嵌り込むと共に図１４又は図１２に示すように筒状の胴部２の端部が嵌め込み溝底部６ｃ及び第２の溝部７に落ち込んで嵌り込み、また、この状態でボルト挿通部１と別の鍔部４のボルト挿入孔部５とが連通するものである。このように胴部２の他端部に別の鍔部４を嵌め込んで位置決めする。
【００２２】
上記のように胴部２の両端部に鍔部４を嵌め込んで位置決めし、この状態で、上の鍔部４のボルト挿入孔部５からボルト８を挿入し、胴部２に設けたボルト挿通部１を通過させて下の鍔部４のボルト挿入孔部５に挿通し、ボルト８の先端部にナット２１を締結して胴部２の両端部に鍔部４を取付けて図１５に示すようなケーブル巻きドラムＡを組み立て形成するものである。
【００２３】
このように組み立て形成したケーブル巻きドラムＡには電力線あるいは情報線等の各種ケーブルを巻装するものである。
【００２４】
ところで、ケーブル巻きドラムＡの両側の鍔部４からボルト８の頭部及びボルト８の先端部のナット２１を締結した部分が外方に突出するが、上記ケーブル巻きドラムＡ同士を積み重ねる場合、図１６、図１７に示すように一方のケーブル巻きドラムＡのボルト８の先端部のナット２１を締結した部分が他方のケーブル巻きドラムＡの鍔部４の凹所１７に嵌り込み、また、他方のケーブル巻きドラムＡのボルト８の頭部が一方のケーブル巻きドラムＡの鍔部４の凹所１７に嵌りこむので、上下に隙間なくケーブル巻きドラムＡ同士を積み重ねることができるとともに、凹所１７にボルト８の頭部や先端部のナット２１締結部分が嵌り込むことで積み重ねたケーブル巻きドラムＡのずれを防止することができるものである。
【００２５】
一方、上記のようにケーブル巻きドラムＡを組み立て形成するまでは胴部２、鍔部４を別々にしてそれぞれ上下に積み重ねて搬送したり、保管したりすることでコンパクトに搬送したり保管したりするものであるが、本発明における胴部２同士を積み重ねる場合、筒状の胴部２の軸方向の端部上に別の筒状の胴部２の軸方向の端部を載置するようにして重ねるのであるが、図１８に示すように一方の胴部２の軸方向外方突出部３ａが他方の筒状の胴部２の内周部の位置決め用突部３（径方向内方突出部３ｂ又は軸方向外方突出部３ａ）が突出してない部分（実施形態においては位置決め用突部３及び胴補強リブ１０が突出してない部分）に嵌め込んで段積みできて、胴部２同士が横にずれないように段積みができるものである。この場合、図１９に示すように軸方向外方突出部３ａを構成する一対のリブ部９間に他の胴部２の胴補強リブ１０が嵌りこむようにすると、周方向のずれも防止できるものである。
【００２６】
また、鍔部４同士を積み重ねた場合、すでに述べたが、図５に示すように、一方の鍔部４の裏面に他方の鍔部４の表面を重ねた場合、ずれ防止用突片部１６が凹所１７の壁部１８ａの内面に沿って凹所１７内に嵌め込まれて積み重ねた鍔部４同士がずれないようになっている。
【００２７】
【発明の効果】
上記のように構成したので、本発明にあっては、搬送や保管に当たって、鍔部同士を上下に積み重ねる場合、一方の鍔部のずれ防止用突部を他方の鍔部の嵌り込む凹所に嵌めこむようにして積み重ねることができて、鍔部がずれず安定して積載できるものであり、また、ずれ防止用突部が嵌り込む凹所が鍔部の裏面のケーブルが巻かれる領域を避けた位置に設けてあるので、ケーブルの巻装に何ら悪影響がないものである。また、鍔部の嵌め込み溝部に胴部の端部を嵌め込んだ際に、鍔部の裏面よりも突出しているずれ防止用突部でも胴部を支持して胴部からの荷重を受けることができて、ケーブル巻きドラムを組み立て構成した場合における強度が強くなる。更に、ケーブル巻きドラム同士を積み重ねる場合、一方のケーブル巻きドラムのボルトの先端部のナットを締結した部分が他方のケーブル巻きドラムの鍔部の凹所に嵌り込み、また、他方のケーブル巻きドラムのボルトの頭部が一方のケーブル巻きドラムの鍔部の凹所に嵌りこんで、上下に隙間なくケーブル巻きドラム同士を積み重ねることができるとともに、凹所にボルトの頭部や先端部のナット締結部分が嵌り込むことで積み重ねたケーブル巻きドラムのずれを防止することができる。
【図面の簡単な説明】
【図１】（ａ）は鍔部の正面側から見た斜視図であり、（ｂ）は背面側から見た斜視図である。
【図２】同上に用いる鍔部の背面図である。
【図３】図上の鍔部の正面図である。
【図４】（ａ）は同上の鍔部の第２の溝部の断面図であり、（ｂ）は嵌め込み溝部の断面図である。
【図５】（ａ）は鍔部同士を積み重ねる前の一部破断した分解側面図であり、（ｂ）は胴部同士を積み重ねた状態の一部破断した側面図である。
【図６】同上に用いる胴部の正面図である。
【図７】同上の胴部の一部破断した側面図である。
【図８】同上の胴部の斜視図である。
【図９】同上の鍔部に胴部の一端部を嵌合している途中の状態の断面図である。
【図１０】（ａ）は同上の鍔部に胴部の一端部を嵌合している途中において胴部の一端部が浮いている状態を示す断面図であり、（ｂ）は同上の鍔部に胴部の一端部を嵌合している途中において軸方向外方突出部が嵌め込み溝部の溝底部のスライド溝底部に当接している状態の断面図である。
【図１１】同上の鍔部に胴部の一端部を位置決めして嵌合完了となった状態の断面図である。
【図１２】（ａ）は同上の鍔部に胴部の一端部を位置決めした嵌合完了した状態において胴部の一端部が胴部嵌め込み溝底部に嵌り込んでいる状態を示す断面図であり、（ｂ）は同上のボルト挿通部とボルト挿入孔部とが連通している状態の断面図である。
【図１３】（ａ）は同上の鍔部に胴部の他端部を嵌合している途中において胴部の他端部が浮いている状態を示す断面図であり、（ｂ）は鍔部に胴部の他端部を嵌合している途中におけるボルト挿入孔部部分の断面図である。
【図１４】（ａ）は同上の鍔部に胴部の他端部を位置決めした嵌合完了した状態において胴部の他端部が胴部嵌め込み溝底部に嵌り込んでいる状態を示す断面図であり、（ｂ）は同上のボルト挿通部とボルト挿入孔部とが連通している状態の断面図である。
【図１５】同上のケーブル巻きドラムの斜視図である。
【図１６】同上のケーブル巻きドラムを上下に積み重ねた状態の一部破断した側面図である。
【図１７】同上のケーブル巻きドラムを上下に積み重ねた状態の他の部分で破断した側面図である。
【図１８】同上の胴部を上下に積み重ねた状態の一部破断した側面図である。
【図１９】同上の胴部を上下に積み重ねた状態における軸方向外方突出部の位置を示す説明図である。
【符号の説明】
Ａ  ケーブル巻きドラム
１  ボルト挿通部
２  胴部
４  鍔部
５  ボルト挿入孔部
６  嵌め込み溝部
８  ボルト
１６  ずれ防止用突部
１７  嵌り込む凹所
【図１】
0004580073.tif 000002
【図２】
0004580073.tif 000003
【図３】
0004580073.tif 000004
【図４】
0004580073.tif 000005
【図５】
0004580073.tif 000006
【図６】
0004580073.tif 000007
【図７】
0004580073.tif 000008
【図８】
0004580073.tif 000009
【図９】
0004580073.tif 000010
【図１０】
0004580073.tif 000011
【図１１】
0004580073.tif 000012
【図１２】
0004580073.tif 000013
【図１３】
0004580073.tif 000014
【図１４】
0004580073.tif 000015
【図１５】
0004580073.tif 000016
【図１６】
0004580073.tif 000017
【図１７】
0004580073.tif 000018
【図１８】
0004580073.tif 000019
【図１９】
0004580073.tif 000020